(57)【要約】【課題】書類を収納する紙挟みであって、取扱時に書類の飛出し、脱落を確実に防止でき、しかも、利便性に一層優れた紙挟みを提供する。【解決手段】紙挟みは、型取りされた原形シートに折り加工および溶着加工を施して各四角形の表表紙１と裏表紙２が形成された樹脂製の紙挟みであって、見開き状態において、表表紙１及び裏表紙２には、各々、当該表表紙および裏表紙の各下端外側の角部を中心とする略扇型のポケット３，４が設けられ、かつ、これらポケット３，４の各上部は、表表紙１及び裏表紙２の各上縁部へ細長に伸長されて当該上縁部に接続されていることにより、ストッパーとして機能するように構成されている。【選択図】図１
2013237202.tif 000002
【特許請求の範囲】
【請求項１】
型取りされた原形シートに折り加工および溶着加工を施して各四角形の表表紙と裏表紙が形成された樹脂製の紙挟みであって、見開き状態において、表表紙および裏表紙には、各々、当該表表紙および裏表紙の各下端外側の角部を中心とする略扇型のポケットが設けられ、かつ、これらポケットの各上部は、表表紙および裏表紙の各上縁部へ細長に伸長されて当該上縁部に接続されていることにより、ストッパーとして機能するように構成されていることを特徴とする紙挟み。
【請求項２】
原形シートが、打抜き加工された１枚のシートから成る請求項１に記載の紙挟み。
【発明の詳細な説明】
【技術分野】
【０００１】
本発明は、紙挟みに関するものであり、詳しくは、説明書、案内書、企画書などの書類を収納する紙挟みに関するものである。
【背景技術】
【０００２】
紙挟みは、書類入れ、ペーパーホルダー、フォルダー、ファイル、バインダー等の呼称で知られている周知の文房具であり、説明書、案内書、企画書などの各種の書類や図面（以下、「書類」と言う。）を綺麗な状態で保管、移動するために使用される。昨今、紙挟みは、製造コストを低減し且つ耐久性を高める観点から、樹脂シートにより構成されている。
【０００３】
上記のような紙挟みとしては、例えば、型取りされた原形シートを中央部で折り曲げて各四角形に形成した表表紙と裏表紙を備え、表表紙と裏表紙の内側面の下端外側の角部側にそれぞれ左ポケット及び右ポケットを設けることにより、書類を保持し且つ書類の下方および側方への脱落を規制すると共に、表表紙と裏表紙の境界である谷折部の上端部に折畳み構造の舌片状のストッパーを表表紙と裏表紙に跨がって設けることにより、書類の上方への飛出しを規制するようにしたものが開示されている。
【先行技術文献】
【特許文献】
【０００４】
【特許文献１】特開２０１１−１４８１０５号公報
【発明の概要】
【発明が解決しようとする課題】
【０００５】
ところで、上記のような樹脂製の紙挟みにおいては、書類の飛出しを確実に防止する観点からポケット及びストッパーの両方を設けているが、ポケット及びストッパーを設けた場合には、例えば、書類の一部分をポケットに差し込み、書類の他の部位をストッパーに引掛けなければならないため、使用し難く、また、ストッパーの構造や大きさによっては、書類がストッパーから外れて飛び出し易いと言う問題がある。
【０００６】
本発明は、上記の実情に鑑みてなされたものであり、その目的は、書類を収納する紙挟みであって、取扱時に書類の飛出し、脱落を確実に防止でき、しかも、利便性に一層優れた紙挟みを提供することにある。
【課題を解決するための手段】
【０００７】
上記の課題を解決するため、本発明においては、四角形の表表紙と裏表紙の内側面に対し、各々、表表紙と裏表紙の各下端外側の角部を中心とする略扇型のポケットを設けることにより、書類の下半部を保持し、書類の下方および側方への脱落を規制すると共に、各ポケットの上部を更に表表紙および裏表紙の各上縁部へ伸長させて各上縁部に接続することにより、ポケットの上部をストッパーとして機能させ、書類の上方への飛出しを規制するようにした。
【０００８】
すなわち、本発明の要旨は、型取りされた原形シートに折り加工および溶着加工を施して各四角形の表表紙と裏表紙が形成された樹脂製の紙挟みであって、見開き状態において、表表紙および裏表紙には、各々、当該表表紙および裏表紙の各下端外側の角部を中心とする略扇型のポケットが設けられ、かつ、これらポケットの各上部は、表表紙および裏表紙の各上縁部へ細長に伸長されて当該上縁部に接続されていることにより、ストッパーとして機能するように構成されていることを特徴とする紙挟みに存する。
【発明の効果】
【０００９】
本発明に係る紙挟みによれば、見開き状態の表表紙および裏表紙にそれぞれ略扇型のポケットが設けられ、各ポケットの上部が表表紙および裏表紙の各上縁部へ細長に伸長されて当該上縁部に接続されているため、見開き状態において書類をスライドさせるだけで当該書類をポケットに収納でき、しかも、収納後は、書類の各方向への飛出し、脱落を確実に防止することが出来る。
【図面の簡単な説明】
【００１０】
【図１】本発明に係る紙挟みの構造を示す見開いた状態の斜視図である。
【図２】本発明に係る紙挟みの折り加工前の原形シートの一例を示した平面図である。
【発明を実施するための形態】
【００１１】
本発明に係る紙挟みの実施形態を図面に基づいて説明する。本発明の紙挟みは、図２に示すような所定の形状に型取りされた原形シートＳに折り加工および溶着加工を施して構成された樹脂製の紙挟みであり、図１に示すように、各四角形に形成された表表紙１と裏表紙２を備えている。図２は、折り加工前の本体構成部材としての原形シートＳを内側面から視た図であり、図中の符号９０〜９８は、折り加工の際に使用される折返し部分としての谷折部を示している。
【００１２】
本発明の紙挟みの構成材料、すなわち、原形シートＳを構成する樹脂としては、成形性、コスト、環境への影響を考慮し、ポリプロピレン、ポリエチレン等のポリオレフィンが使用され、特に、適度な剛性と柔軟性を得る観点から、ポリプロピレンが好適に使用される。斯かる樹脂は、透明性の樹脂でもよいし、着色された樹脂でもよい。原形シートＳの厚さは、剛性、耐久性、コスト等を勘案して設定され、通常は０．２〜０．５ｍｍ、好ましくは０．３〜０．４ｍｍとされる。
【００１３】
図２に示すように、原形シートＳは、打抜き加工された１枚のシートであり、表表紙１と裏表紙２は、原形シートＳの中央部に折り加工を施すことにより、通常は同一の平面寸法に形成される。符号９０は、表表紙１と裏表紙２の境界として折り加工が施される谷折部を示している。表表紙１及び裏表紙２の各大きさは、例えば、１枚または半折した状態の用紙サイズでＡ４判の書類を収納する場合、縦が３０５〜３１５ｍｍ、横が２１５〜２２５ｍｍに設定され、同様の用紙サイズでＢ５判の書類を収納する場合、縦が２５５〜２６５ｍｍ、横が１８５〜１９５ｍｍに設定される。
【００１４】
本発明の紙挟みは、機能性を高めるために図１に示す様な構造を備えている。すなわち、本発明の紙挟みにおいては、見開き状態（表表紙１及び裏表紙２の内面を見せた状態）において、書類を挟み込むため、表表紙１及び裏表紙２には、各々、当該表表紙および裏表紙の各下端外側の角部を中心とする略扇型のポケット３，４が設けられる。ポケット３，４は、表表紙１と裏表紙２の境界である谷折部９０に対して対称な形状を備えている。そして、上部への書類の飛出しを防止するため、これらポケット３，４の各上部は、表表紙１及び裏表紙２の各上縁部へ細長に伸長されてこれら上縁部に接続されていることにより、ストッパーとして機能するように構成されている。図１中の符号３Ｌがポケット３の細長の伸長部分を示し、符号４Ｌがポケット４の細長の伸長部分を示している。
【００１５】
すなわち、表表紙１のポケット３は、表表紙１の左側の下端角部を含み且つ表表紙１の左縦縁部と上下縁部とに繋げられて構成される。また、裏表紙２のポケット４は、裏表紙２の右側の下端角部を含み且つ裏表紙２の右縦縁部と上下縁部とに繋げられて構成される。そして、ポケット３，４は、各々、表表紙１と裏表紙２の境界である谷折部９０側が開口し、かつ、開口縁部が略Ｊ字状および逆Ｊ字状に湾曲する形状に形成されている。換言すれば、ポケット３，４は、団扇を転倒させた平面形状を備えており、上部の細長の伸長部分３Ｌ，４Ｌが書類の上方への飛び出しを規制するストッパーとして機能するようになされている。上記のような構造の表表紙１及び裏表紙２にポケット３，４を設けることにより、書類の上下方向および側方への脱落を防止し、また、表表紙１及び裏表紙２の側縁部の剛性を高めることが出来る。
【００１６】
ポケット３，４の最大幅、すなわち、これらポケット下端部の水平長さは、表表紙１及び裏表紙２の各下縁部の長さの６０〜８０％に設定され、また、ポケット３，４の最小幅、すなわち、伸長部分３Ｌ，４Ｌの上端部の水平長さは、表表紙１及び裏表紙２の各上縁部の長さの２０〜４０％に設定される。例えば、Ａ４判を収納する紙挟みの場合、ポケット３，４の最大幅は１００〜２１０ｍｍ程度であり、ポケット３，４の最小幅は４０〜９０ｍｍ程度である。ポケット３，４の最大幅、最小幅は、書類を収納する際の操作性、収納された書類の保持性能の観点から上記のように設定される。
【００１７】
更に、図示を省略するが、ポケット３及び／又は４には、情報媒体やカードを差し込むための切込みが設けられていてもよい。例えば、表表紙１のポケット３には、会員登録証などの小型の書類やカードを差し込むための切込が設けられ、裏表紙２のポケット４には、ＣＤやＤＶＤを差し込むための切込が設けられる。
【００１８】
本発明の紙挟みは、原材料の樹脂シートに打抜き加工を施して原形シートＳを作成した後、当該原形シートに折り加工および溶着加工を施すことによりポケット３及び４を形成して製造される。打抜き加工は、周知の通り、ビクトリア打抜機、平盤打抜機、ロータリダイカッタ等の打抜機を使用して行われる。すなわち、原形シートＳは、打抜き加工された１枚のシートから成る。
【００１９】
図２に示すように、表表紙１のポケット３は、原形シートＳにおける表表紙１の縦縁部に沿って左方に張出された左ポケット形成片３ａを谷折（内側）に折り返すと共に、表表紙１の上縁部から上方に張出されて谷折（内側）に折り返されたポケット上部綴代片５を前記のポケット形成片３ａの上縁部に溶着し、更に、表表紙１の下縁部から下方に張出されて谷折（内側）に折り返されたポケット下部綴代片６を前記のポケット形成片３ａの下縁部に溶着して構成される。符号９１，９５，９６は、折返し部分である谷折部を表している。
【００２０】
また、上記のポケット３と同様に、裏表紙２のポケット４は、原形シートＳにおける裏表紙２の縦縁部に沿って右方に張出された右ポケット形成片４ａを谷折（内側）に折り返すと共に、裏表紙２の上縁部から上方に張出されて谷折（内側）に折り返されたポケット上部綴代片７を前記のポケット形成片４ａの上縁部に溶着し、更に、裏表紙２の下縁部から下方に張出されて谷折（内側）に折り返されたポケット下部綴代片８を前記のポケット形成片４ａの下縁部に溶着して構成される。符号９２，９７，９８は、折返し部分である谷折部を表している。
【００２１】
更に、図２に示すように、本発明においては、前述の打抜き加工の際、各折返し部分には、各々、３本の折返し溝が形成される。すなわち、表表紙１と裏表紙２の境界である谷折部９０、左ポケット形成片３ａ及び右ポケット形成片４ａの谷折部９１及び９２、ポケット上部綴代片５及び７の谷折部９５及び９７、ならびに、ポケット下部綴代片６及び８の谷折部９６及び９８には、各々、３本の折返し溝が形成されている。図示しないが、これらの折返し溝は、その伸長方向に直行する断面をＶ字状または凹状に形成され、２．５〜３．５ｍｍのピッチで平行に３本を１組として設けられる。本発明においては、各谷折部９０〜９８に上記のような折返し溝を設けることにより、折り加工を容易にすると共に、使用した際に厚さのある複数枚の書類をポケット３，４に安定して収納できる。
【００２２】
本発明の紙挟みを使用する場合には、図１に示すように表表紙１と裏表紙２を見開いた状態において、先ず、Ａ４判（又は見開きでＡ３判）、Ｂ５判（又は見開きでＢ４判）等の書類（図示省略）をスライドさせるようにして表表紙１のポケット３及び／又は裏表紙２のポケット４に差し込む。次いで、表表紙１と裏表紙２を折り畳むようにして閉じる。
【００２３】
上記のように書類を収納して書棚や引出に保管し或いは移動させた場合、本発明の紙挟みにおいては、表表紙１と裏表紙２の内側面にそれぞれ設けられたポケット３，４が書類の下半部および上端角部外を保持する。すなわち、略扇型のポケット３，４の本体部分が書類の下半部を保持し、書類の下方および側方への脱落を規制すると共に、各ポケット３，４の上部の細長の伸長部分３Ｌ，４Ｌがストッパーとして機能し、書類の上方への飛出しを規制する。
【００２４】
すなわち、本発明に係る紙挟みによれば、見開き状態の表表紙１及び裏表紙２にそれぞれ略扇型のポケット３，４が設けられ、各ポケット３，４の上部が表表紙１及び裏表紙２の各上縁部へ細長に伸長されて当該上縁部に接続されているため、見開き状態において書類をスライドさせるだけで当該書類をポケット３，４に簡単に収納でき、しかも、収納後は、書類の各方向への飛出し、脱落を確実に防止することが出来る。
【符号の説明】
【００２５】
１  ：表表紙
２  ：裏表紙
３  ：ポケット
３ａ：左ポケット形成片
３Ｌ：伸長部分
４  ：ポケット
４ａ：右ポケット形成片
４Ｌ：伸長部分
５  ：ポケット上部綴代片
６  ：ポケット下部綴代片
７  ：ポケット上部綴代片
８  ：ポケット下部綴代片
９０〜９８：谷折部
Ｓ  ：原形シート
【図１】
2013237202.tif 000003
【図２】
2013237202.tif 000004